(57)【要約】  複数のセルを用いた通信において、効率的な通信制御が可能な端末装置、基地局装置、通信システム、通信制御方法および集積回路を提供する。端末装置が、プライマリセルを少なくとも含む第１のセルグループに対応する第１のＲＬＣと、プライマリセルを含まない第２のセルグループに対応する第２のＲＬＣと、第１のＲＬＣと第２のＲＬＣとのデータを処理する第１のセルグループに属する一つのＰＤＣＰとを用いる通信において、基地局装置より受信した第２のＲＬＣに関するデータ無線ベアラの識別子を含むリストに基づいて第２のＲＬＣをリリースする。
2015115268.tif 000002
【特許請求の範囲】
【請求項１】
プライマリセルを含む複数の在圏セルを用いて基地局装置と接続する端末装置であって、
前記プライマリセルを少なくとも含む第１のセルグループに対応する第１のＲＬＣと、前記プライマリセルを含まない第２のセルグループに対応する第２のＲＬＣと、前記第１のＲＬＣと前記第２のＲＬＣとのデータを処理する前記第１のセルグループに属する一つのＰＤＣＰとを用いる通信において、前記基地局装置より前記第１のセルグループと前記第２のセルグループとの両方に関するデータ無線ベアラの識別子を含むデータ無線ベアラのリストを受信し、受信した前記リストに基づいて前記第２のＲＬＣをリリースすることを特徴とする端末装置。
【請求項２】
前記リストに含まれる前記データ無線ベアラの識別子に対応する前記第２のＲＬＣをリリースすることで、前記第１のＲＬＣと前記第２のＲＬＣと前記ＰＤＣＰとを用いる通信から、前記第１のＲＬＣと前記ＰＤＣＰとを用いる通信に変更することを特徴とする請求項１に記載の端末装置。
【請求項３】
プライマリセルを含む複数の在圏セルを用いる端末装置と接続する基地局装置であって、
前記プライマリセルを少なくとも含む第１のセルグループに対応する第１のＲＬＣの設定と、前記プライマリセルを含まない第２のセルグループに対応する第２のＲＬＣの設定と、前記第１のＲＬＣと前記第２のＲＬＣとのデータを処理する前記第１のセルグループに属する一つのＰＤＣＰの設定を送信し、前記第１のＲＬＣと前記第２のＲＬＣと前記ＰＤＣＰとを用いた通信を前記端末装置に行わせ、
前記第１のセルグループと前記第２のセルグループとの両方に関するデータ無線ベアラの識別子を含むデータ無線ベアラのリストを送信し、前記端末装置に前記第２のＲＬＣをリリースさせることを特徴とする基地局装置。
【請求項４】
前記第１のＲＬＣと前記第２のＲＬＣと前記ＰＤＣＰとを用いた通信を行う前記端末装置に対し、前記第２のＲＬＣに対応する前記データ無線ベアラの識別子を前記リストに含めて送信することによって、前記第１のＲＬＣと前記ＰＤＣＰとを用いた通信に変更させることを特徴とする請求項３に記載の基地局装置。
【請求項５】
プライマリセルを含む複数の在圏セルを用いて基地局装置と端末装置が接続する通信システムであって、
前記基地局装置は、前記プライマリセルを少なくとも含む第１のセルグループに対応する第１のＲＬＣの設定と、前記プライマリセルを含まない第２のセルグループに対応する第２のＲＬＣの設定と、前記第１のＲＬＣと前記第２のＲＬＣとのデータを処理する前記第１のセルグループに属する一つのＰＤＣＰの設定を送信し、
前記端末装置は、前記第１のＲＬＣと前記第２のＲＬＣと前記ＰＤＣＰとを用いる通信において、前記基地局装置より前記第１のセルグループと前記第２のセルグループとの両方に関するデータ無線ベアラの識別子を含むデータ無線ベアラのリストを受信し、受信した前記リストに基づいて前記第２のＲＬＣをリリースすることを特徴とする通信システム。
【請求項６】
プライマリセルを含む複数の在圏セルを用いて基地局装置と接続する端末装置の通信制御方法であって、
前記プライマリセルを少なくとも含む第１のセルグループに対応する第１のＲＬＣと、前記プライマリセルを含まない第２のセルグループに対応する第２のＲＬＣと、前記第１のＲＬＣと前記第２のＲＬＣとのデータを処理する前記第１のセルグループに属する一つのＰＤＣＰとを用いる通信において、前記基地局装置より前記第１のセルグループと前記第２のセルグループとの両方に関するデータ無線ベアラの識別子を含むデータ無線ベアラのリストを受信するステップと、
受信した前記リストに基づいて前記第２のＲＬＣをリリースするステップと、
を少なくとも含むことを特徴とする通信制御方法。
【請求項７】
前記リストに含まれる前記データ無線ベアラの識別子に対応する前記第２のＲＬＣをリリースすることで、前記第１のＲＬＣと前記第２のＲＬＣと前記ＰＤＣＰとを用いる通信から、前記第１のＲＬＣと前記ＰＤＣＰとを用いる通信に変更するステップを更に含むことを特徴とする請求項６に記載の通信制御方法。
【請求項８】
プライマリセルを含む複数の在圏セルを用いる端末装置と接続する基地局装置の通信制御方法であって、
前記プライマリセルを少なくとも含む第１のセルグループに対応する第１のＲＬＣの設定と、前記プライマリセルを含まない第２のセルグループに対応する第２のＲＬＣの設定と、前記第１のＲＬＣと前記第２のＲＬＣとのデータを処理する前記第１のセルグループに属する一つのＰＤＣＰの設定を送信するステップと、
前記第１のＲＬＣと前記第２のＲＬＣと前記ＰＤＣＰとを用いた通信を行う前記端末装置に対し、前記第２のＲＬＣをリリースさせるために、前記第１のセルグループと前記第２のセルグループとの両方に関するデータ無線ベアラの識別子を含むデータ無線ベアラのリストを送信するステップと、
を少なくとも含むことを特徴とする通信制御方法。
【請求項９】
前記第１のＲＬＣと前記第２のＲＬＣと前記ＰＤＣＰとを用いた通信を行う前記端末装置に対し、前記第１のＲＬＣと前記ＰＤＣＰとを用いた通信に変更させるための、前記第２のＲＬＣに対応する前記データ無線ベアラの識別子を前記リストに含めて送信するステップを更に含むことを特徴とする請求項８に記載の通信制御方法。
【請求項１０】
プライマリセルを含む複数の在圏セルを用いて基地局装置と接続する端末装置に実装される集積回路であって、
前記プライマリセルを少なくとも含む第１のセルグループに対応する第１のＲＬＣと、前記プライマリセルを含まない第２のセルグループに対応する第２のＲＬＣと、前記第１のＲＬＣと前記第２のＲＬＣとのデータを処理する前記第１のセルグループに属する一つのＰＤＣＰとを用いる通信を行う機能と、
前記基地局装置より前記第１のセルグループと前記第２のセルグループとの両方に関するデータ無線ベアラの識別子を含むデータ無線ベアラのリストを受信し、受信した前記リストに基づいて前記第２のＲＬＣをリリースする機能と、
を前記端末装置に少なくとも発揮させることを特徴とする集積回路。
【請求項１１】
プライマリセルを含む複数の在圏セルを用いる端末装置と接続する基地局装置に実装される集積回路であって、
前記プライマリセルを少なくとも含む第１のセルグループに対応する第１のＲＬＣの設定と、前記プライマリセルを含まない第２のセルグループに対応する第２のＲＬＣの設定と、前記第１のＲＬＣと前記第２のＲＬＣとのデータを処理する前記第１のセルグループに属する一つのＰＤＣＰの設定を送信する機能と、
前記第１のＲＬＣと前記第２のＲＬＣと前記ＰＤＣＰとを用いた通信を行う前記端末装置に対し、前記第２のＲＬＣをリリースさせるために、前記第１のセルグループと前記第２のセルグループとの両方に関するデータ無線ベアラの識別子を含むデータ無線ベアラのリストを送信する機能と、
を前記基地局装置に少なくとも発揮させることを特徴とする集積回路。
【発明の詳細な説明】
【技術分野】
【０００１】
本発明の実施形態は、効率的な通信制御が可能な端末装置、基地局装置、通信システム、通信制御方法および集積回路の技術に関する。
本願は、２０１４年１月３１日に、日本に出願された特願２０１４−０１６２６０号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現するＡｄｖａｎｃｅｄ  ＥＵＴＲＡの議論を行っている。Ａｄｖａｎｃｅｄ  ＥＵＴＲＡにおける技術の一つとして、キャリア・アグリゲーション（Ｃａｒｒｉｅｒ  Ａｇｇｒｅｇａｔｉｏｎ；ＣＡ）が採用されている。キャリア・アグリゲーションとは、複数の異なる周波数（コンポーネントキャリア（Ｃｏｍｐｏｎｅｎｔ  Ｃａｒｒｉｅｒ；ＣＣ）とも称する）を集約して使用することで伝送レートを向上させる技術である（非特許文献１、5.5章）。【０００４】
また、キャリア・アグリゲーションを用いて基地局装置と通信中の端末装置は、一つまたは複数のセルの周波数（コンポーネントキャリア）をグループ化し、グループ毎に上りリンク送信タイミング（Ｔｉｍｉｎｇ  Ａｄｖａｎｃｅ；ＴＡ）の状態を管理する。上りリンク送信タイミングが同じセルの周波数（コンポーネントキャリア）を表すグループのことを、送信タイミンググループ（Ｔｉｍｉｎｇ  Ａｌｉｇｎｍｅｎｔ  Ｇｒｏｕｐ；ＴＡＧ）とも称する（非特許文献１、10.1.2.7章）。【０００５】
ＥＵＴＲＡでは、基地局装置がほぼ同一のセル構成（セルサイズ）から成るネットワークを主に想定していたが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とし、このようなネットワークに適応した制御方法を検討している。【０００６】
ヘテロジニアスネットワークのように、セル半径の大きいセル（マクロセル）と、セル半径がマクロセルよりも小さいセル（スモールセル）とが混在して配置される通信システムにおいて、端末装置が、複数の基地局装置のセルと同時に接続して通信を行う技術（Ｄｕａｌ  Ｃｏｎｎｅｃｔｉｖｉｔｙ（デュアルコネクティビティ、双対接続性））について検討されている（非特許文献２）。【０００７】
また、基地局装置は、１つの下りリンクのコンポーネントキャリアと１つの上りリンクのコンポーネントキャリアを組み合わせて１つのセルを構成する。なお、基地局装置は、１つの下りリンクコンポーネントキャリアのみでも１つのセルを構成できる。
【先行技術文献】
【非特許文献】
【０００８】
【非特許文献１】３ＧＰＰ  ＴＳ  ３６．３００  Ｖ１１．３．０（２０１２−０９）ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．３００／
【非特許文献２】３ＧＰＰ  ＴＳ  ３６．８４２  Ｖ１．０．０（２０１３−１１）ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．８４２／
【発明の概要】
【発明が解決しようとする課題】
【０００９】
しかしながら、非特許文献２に示されるように、デュアルコネクティビティを実現するためには、物理層（ＰＨＹ層）における無線設定だけではなく、上位層（ＭＡＣ層、ＲＬＣ層、ＰＤＣＰ層）の無線設定が必要とされる。そのため、デュアルコネクティビティにおいて使用されるセルの変更や削除をする場合、物理層の無線設定だけではなく、上位層の無線設定への影響を考慮しなければならないが、この課題についての検討はまだされていない。特に、デュアルコネクティビティにおいて上位層の無線設定が新たに必要であるため、物理層の無線設定と、上位層の無線設定との対応関係を定める必要があるが、この課題についても検討はまだされていない。【００１０】
本発明の実施形態は、上述の課題を鑑みてなされたものであり、効率的な通信制御が可能な端末装置、基地局装置、通信システム、通信制御方法および集積回路に関する技術を提供することによって、上記の課題の少なくとも１つを解決することを目的とする。
【課題を解決するための手段】
【００１１】
本発明の実施形態に係る端末装置は、プライマリセルを含む複数の在圏セルを用いて基地局装置と接続する端末装置であって、プライマリセルを少なくとも含む第１のセルグループに対応する第１のＲＬＣと、プライマリセルを含まない第２のセルグループに対応する第２のＲＬＣと、第１のＲＬＣと第２のＲＬＣとのデータを処理する第１のセルグループに属する一つのＰＤＣＰとを用いる通信において、基地局装置より第１のセルグループと第２のセルグループとの両方に関するデータ無線ベアラの識別子を含むデータ無線ベアラのリストを受信し、受信したリストに基づいて第２のＲＬＣをリリースする。【００１２】
また、本発明の実施形態に係る端末装置は、リストに含まれるデータ無線ベアラの識別子に対応する第２のＲＬＣをリリースすることで、第１のＲＬＣと第２のＲＬＣとＰＤＣＰとを用いる通信から、第１のＲＬＣとＰＤＣＰとを用いる通信に変更するように構成されていても良い。【００１３】
また、本発明の実施形態に係る基地局装置は、プライマリセルを含む複数の在圏セルを用いる端末装置と接続する基地局装置であって、プライマリセルを少なくとも含む第１のセルグループに対応する第１のＲＬＣの設定と、プライマリセルを含まない第２のセルグループに対応する第２のＲＬＣの設定と、第１のＲＬＣと第２のＲＬＣとのデータを処理する第１のセルグループに属する一つのＰＤＣＰの設定を送信し、第１のＲＬＣと第２のＲＬＣとＰＤＣＰとを用いた通信を端末装置に行わせ、第１のセルグループと第２のセルグループとの両方に関するデータ無線ベアラの識別子を含むデータ無線ベアラのリストを送信し、端末装置に第２のＲＬＣをリリースさせる。【００１４】
また、本発明の実施形態に係る基地局装置は、第１のＲＬＣと第２のＲＬＣとＰＤＣＰとを用いた通信を行う端末装置に対し、第２のＲＬＣに対応するデータ無線ベアラの識別子をリストに含めて送信することによって、第１のＲＬＣとＰＤＣＰとを用いた通信に変更させるように構成されていても良い。【００１５】
また、本発明の実施形態に係る通信システムは、プライマリセルを含む複数の在圏セルを用いて基地局装置と端末装置が接続する通信システムであって、基地局装置は、プライマリセルを少なくとも含む第１のセルグループに対応する第１のＲＬＣの設定と、プライマリセルを含まない第２のセルグループに対応する第２のＲＬＣの設定と、第１のＲＬＣと第２のＲＬＣとのデータを処理する第１のセルグループに属する一つのＰＤＣＰの設定を送信し、端末装置は、第１のＲＬＣと第２のＲＬＣとＰＤＣＰとを用いる通信において、基地局装置より第１のセルグループと第２のセルグループとの両方に関するデータ無線ベアラの識別子を含むデータ無線ベアラのリストを受信し、受信したリストに基づいて第２のＲＬＣをリリースする。【００１６】
また、本発明の実施形態に係る通信制御方法は、プライマリセルを含む複数の在圏セルを用いて基地局装置と接続する端末装置の通信制御方法であって、プライマリセルを少なくとも含む第１のセルグループに対応する第１のＲＬＣと、プライマリセルを含まない第２のセルグループに対応する第２のＲＬＣと、第１のＲＬＣと第２のＲＬＣとのデータを処理する第１のセルグループに属する一つのＰＤＣＰとを用いる通信において、基地局装置より第１のセルグループと第２のセルグループとの両方に関するデータ無線ベアラの識別子を含むデータ無線ベアラのリストを受信するステップと、受信したリストに基づいて第２のＲＬＣをリリースするステップと、を少なくとも含む。【００１７】
また、本発明の実施形態に係る端末装置の通信制御方法は、リストに含まれるデータ無線ベアラの識別子に対応する第２のＲＬＣをリリースすることで、第１のＲＬＣと第２のＲＬＣとＰＤＣＰとを用いる通信から、第１のＲＬＣとＰＤＣＰとを用いる通信に変更するステップを更に含んでいても良い。【００１８】
また、本発明の実施形態に係る通信制御方法は、プライマリセルを含む複数の在圏セルを用いる端末装置と接続する基地局装置の通信制御方法であって、プライマリセルを少なくとも含む第１のセルグループに対応する第１のＲＬＣの設定と、プライマリセルを含まない第２のセルグループに対応する第２のＲＬＣの設定と、第１のＲＬＣと第２のＲＬＣとのデータを処理する第１のセルグループに属する一つのＰＤＣＰの設定を送信するステップと、第１のＲＬＣと第２のＲＬＣとＰＤＣＰとを用いた通信を行う端末装置に対し、第２のＲＬＣをリリースさせるために、第１のセルグループと第２のセルグループとの両方に関するデータ無線ベアラの識別子を含むデータ無線ベアラのリストを送信するステップと、を少なくとも含む。【００１９】
また、本発明の実施形態に係る基地局装置の通信制御方法は、第１のＲＬＣと第２のＲＬＣとＰＤＣＰとを用いた通信を行う端末装置に対し、第１のＲＬＣとＰＤＣＰとを用いた通信に変更させるための、第２のＲＬＣに対応するデータ無線ベアラの識別子をリストに含めて送信するステップを更に含んでいても良い。【００２０】
また、本発明の実施形態に係る集積回路は、プライマリセルを含む複数の在圏セルを用いて基地局装置と接続する端末装置に実装される集積回路であって、プライマリセルを少なくとも含む第１のセルグループに対応する第１のＲＬＣと、プライマリセルを含まない第２のセルグループに対応する第２のＲＬＣと、第１のＲＬＣと第２のＲＬＣとのデータを処理する第１のセルグループに属する一つのＰＤＣＰとを用いる通信を行う機能と、基地局装置より第１のセルグループと第２のセルグループとの両方に関するデータ無線ベアラの識別子を含むデータ無線ベアラのリストを受信し、受信したリストに基づいて第２のＲＬＣをリリースする機能と、を端末装置に少なくとも発揮させる。【００２１】
また、本発明の実施形態に係る集積回路は、プライマリセルを含む複数の在圏セルを用いる端末装置と接続する基地局装置に実装される集積回路であって、プライマリセルを少なくとも含む第１のセルグループに対応する第１のＲＬＣの設定と、プライマリセルを含まない第２のセルグループに対応する第２のＲＬＣの設定と、第１のＲＬＣと第２のＲＬＣとのデータを処理する第１のセルグループに属する一つのＰＤＣＰの設定を送信する機能と、第１のＲＬＣと第２のＲＬＣとＰＤＣＰとを用いた通信を行う端末装置に対し、第２のＲＬＣをリリースさせるために、第１のセルグループと第２のセルグループとの両方に関するデータ無線ベアラの識別子を含むデータ無線ベアラのリストを送信する機能と、を基地局装置に少なくとも発揮させる。【００２２】
本明細書では、効率的な通信制御が可能な端末装置、基地局装置、通信システム、通信制御方法および集積回路に関する技術という点において各実施形態を開示するが、各実施形態に対して適用可能な通信方式は、ＥＵＴＲＡまたはＡｄｖａｎｃｅｄ  ＥＵＴＲＡに限定されるものではない。【００２３】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【発明の効果】
【００２４】
本発明の実施形態によれば、効率的な通信制御が可能な端末装置、基地局装置、通信システム、通信制御方法および集積回路に関する技術を提供することができる。
【図面の簡単な説明】
【００２５】
【図１】本発明の実施形態における端末装置の概略構成を示すブロック図である。
【図２】本発明の実施形態における基地局装置の概略構成を示すブロック図である。
【図３】本発明の第１の実施形態におけるレイヤ間の無線設定の対応関係の一例を示す図である。
【図４】本発明の第１の実施形態における端末装置のユーザデータの伝送経路の一例を示す図である。
【図５】本発明の第１の実施形態におけるユーザ平面プロトコルの設定に用いられる情報要素の構造の一例を示した図である。
【図６】デュアルコネクティビティを用いた端末装置と基地局装置との接続の一例を示す図である。
【図７】デュアルコネクティビティを用いる端末装置における、ユーザ平面のプロトコルアーキテクチャーの一例を示す図である。
【図８】デュアルコネクティビティを用いる端末装置における、ユーザ平面のプロトコルアーキテクチャーの別の一例を示す図である。
【図９】従来の端末装置に対して通知される、個別の無線リソース設定に関する情報要素の構造の一例を示した図である。
【図１０】従来の端末装置に対して通知される、ＭＡＣ層の設定に関する情報要素の構造の一例を示した図である。
【図１１】従来の端末装置に対して通知される、セカンダリセルの設定に関する情報要素の構造の一例を示した図である。
【発明を実施するための形態】
【００２６】
本発明の各実施形態を説明する前に、本発明の各実施形態に関わる技術について以下に簡単に説明する。
【００２７】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００２８】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２９】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期に用いるフレームタイミングが示される。端末装置は、セルサーチによって受信した同期シグナルの物理セルＩＤを特定する。
【００３０】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３１】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３２】
下りリンクリファレンスシグナル（下りリンク参照信号）は、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００３３】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｍｏｄｕｌａｔｉｏｎ  ＲＳ（ＤＭＲＳ）と称され、物理下りリンク制御チャネル、または物理下りリンク共用チャネルを復調するときのチャネルの伝搬路補償処理のために参照される。
【００３４】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信される。拡張物理下りリンク制御チャネル（EPDCCH; Enhanced Physical Downlink Control Channel）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３５】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３６】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３７】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３８】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３９】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４０】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。
【００４１】
また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４２】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４３】
端末装置は、基地局装置より設定された物理ランダムアクセスチャネル用の無線リソースを用いてプリアンブル系列を送信する。送信タイミング調整情報を受信した端末装置は、報知情報によって共通的に設定される（またはレイヤ３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。
【００４４】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４５】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００４６】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００４７】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００４８】
端末装置は、セルの中を通信エリアとみなして動作する。端末装置が、あるセルから別のセルへ移動するときは、非無線接続時（アイドル状態）はセル再選択手順、無線接続時（コネクティッド状態）はハンドオーバー手順によって別の適切なセルへ移動する。適切なセルとは、一般的に端末装置のアクセスが基地局装置から指定される情報と端末装置のアクセスクラスに基づいて禁止されていないと判断したセルであって、かつ、下りリンクの受信品質が所定の条件を満足するセルのことを示す。
【００４９】
基地局装置は、端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５０】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５１】
[キャリア・アグリゲーション]
端末装置と基地局装置は、複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術（キャリア・アグリゲーション）を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５２】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５３】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅であってもよい。
【００５４】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましいが、制限されるわけではない。
【００５５】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。プライマリセルの周波数をプライマリ周波数と称し、セカンダリセルの周波数をセカンダリ周波数と称する。プライマリセルと、複数のセカンダリセルの周波数はそれぞれすべて異なる。
【００５６】
端末装置は、プライマリセルにおいて、ページングメッセージの受信、報知情報の更新の検出、初期アクセス手順、セキュリティ情報の設定などを行う一方、セカンダリセルではこれらを行わなくてもよい。プライマリセルとセカンダリセルとを合わせてサービングセル（在圏セル）と称する。すなわち、複数のコンポーネントキャリア（セル）を集約している場合、端末装置は、複数の在圏セルを持つことになる。
【００５７】
在圏セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。プライマリセルは、活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。
【００５８】
在圏セルの状態は、基地局装置から明示的に状態の変更が指定（通知、指示）される場合もあるし、コンポーネントキャリア（セル）毎に端末装置が計時するタイマー情報（不活性化タイマー；ディアクティベーションタイマー）に基づいて状態が変更される場合もある。
【００５９】
なお、キャリア・アグリゲーションは、複数のコンポーネントキャリア（周波数帯域）を用いた複数の在圏セルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることもできる。
【００６０】
キャリア・アグリゲーションにおいて、プライマリセルではNon-contention based Random Access手順とContention based Random Access手順の両方がサポートされるが、セカンダリセルの上りリンクの送信タイミングがプライマリセルと異なるために、セカンダリセルにおいてランダムアクセス手順を実行する必要がある場合（これをＭｕｌｔｉ−ＴＡ、またはＭｕｌｔｉｐｌｅ  ＴＡと称する）、セカンダリセルではNon-contention based Random Access手順のみがサポートされる。なお、キャリア・アグリゲーションにおいて、端末装置によってセカンダリセルの上りリンクで送信された物理ランダムアクセスチャネル（プリアンブル系列）に対する応答（ランダムアクセスレスポンス）は、基地局装置からプライマリセルの下りリンクにおいて送信される。
【００６１】
[デュアルコネクティビティ]
デュアルコネクティビティにおいて、端末装置は、複数の基地局装置と接続する。複数の基地局装置とは、例えば、マクロセルを構成する基地局装置と、スモールセルを構成する別の基地局装置から構成される。または、複数の基地局装置とは、スモールセルを構成する基地局装置と別のスモールセルを構成する別の基地局装置から構成される。
【００６２】
このように、端末装置が、複数の基地局装置にそれぞれ属する複数のセルの無線リソースを用いることによって、送受信を行うことをデュアルコネクティビティと称し、デュアルコネクティビティを実現するための技術を用いて端末装置と複数の基地局装置とが接続することを、「デュアルコネクティビティを用いる」、「デュアルコネクティビティによる接続」、またはこれらと同義の表現を用いて説明する。接続に用いられるセルは異なる周波数で運用されていることが本技術のベースラインであるが、同じ周波数で運用されていても同様の技術を用いることが可能である。
【００６３】
なお、キャリア・アグリゲーションは、複数のセルを一つの基地局装置が管理し、各セルについて一つの基地局装置が集中制御可能であるということ、および、複数のセル間のバックボーン回線が遅延の影響を考慮する必要がないことがデュアルコネクティビティによる接続と異なる。換言すると、キャリア・アグリゲーションは、一つの端末装置と一つの基地局装置とを、複数のセルを介して接続させる技術であるのに対し、デュアルコネクティビティは、一つの端末装置と複数の基地局装置とを、複数のセルを介して接続させる技術である。
【００６４】
端末装置と基地局装置は、キャリア・アグリゲーションに適用される技術を、デュアルコネクティビティに対して適用することができる。例えば、端末装置と基地局装置は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００６５】
デュアルコネクティビティによって接続されるセルを構成する複数の基地局装置間の接続経路は、基地局インターフェースと称される。また、基地局インターフェースは、ＥＵＴＲＡにおいてＸ２インターフェース、またはＸｎインターフェースとも称される。
【００６６】
図６は、デュアルコネクティビティを用いて端末装置１と基地局装置２とが接続される場合の例を示した図である。端末装置１と基地局装置２（基地局装置２−１、基地局装置２−２）は、それぞれ独立したセルを介して接続されており、端末装置１は、それぞれの基地局装置２のセルに対して同時受信および／または同時送信が可能である。また、基地局装置２−１、基地局装置２−２間は、基地局インターフェースＮ１０で接続されている。
【００６７】
このとき、基地局装置２−１（マクロセル）との接続に使用されるセルで構成されたセルグループをＭＣＧ（Ｍａｓｔｅｒ  ｅＮＢ  Ｃｅｌｌ  Ｇｒｏｕｐ）と称し、基地局装置２−２（スモールセル）との接続に使用されるセルで構成されたセルグループをＳＣＧ（Ｓｅｃｏｎｄａｒｙ  ｅＮＢ  Ｃｅｌｌ  Ｇｒｏｕｐ）と称する。
【００６８】
図７は、デュアルコネクティビティを用いる端末装置１における、ユーザ平面のプロトコルアーキテクチャーの一例を示したものである。
【００６９】
端末装置１は、ユーザ平面のプロトコルとして、図７における基地局装２−１（ＭＣＧ）からのユーザデータの送信に対応するＰＤＣＰ層、ＲＬＣ層、ＭＡＣ層、ＰＨＹ層（ＰＤＣＰ＃０、ＲＬＣ＃０、ＭＡＣ＃０、ＰＨＹ＃０）と、基地局装２−２（ＳＣＧ）からのユーザデータの送信に対応するＰＤＣＰ層、ＲＬＣ層、ＭＡＣ層、ＰＨＹ層（ＰＤＣＰ＃１、ＲＬＣ＃１、ＭＡＣ＃１、ＰＨＹ＃１）とを備える。
【００７０】
図８は、デュアルコネクティビティを用いる端末装置１における、ユーザ平面のプロトコルアーキテクチャーの別の一例を示したものである。
【００７１】
端末装置１は、ユーザ平面のプロトコルとして、図８における基地局装２−１（ＭＣＧ）からのユーザデータの送信に対応するＰＤＣＰ層、ＲＬＣ層、ＭＡＣ層、ＰＨＹ層（ＰＤＣＰ＃０、ＲＬＣ＃０、ＭＡＣ＃０、ＰＨＹ＃０）と、基地局装２−２（ＳＣＧ）からのユーザデータの送信に対応するＲＬＣ層、ＭＡＣ層、ＰＨＹ層（ＲＬＣ＃１、ＭＡＣ＃１、ＰＨＹ＃１）とを備える。なお、図８において、基地局装２−２（ＳＣＧ）からのユーザデータの送信に対応するＰＤＣＰ層は、ＭＣＧ側のＰＤＣＰ（ＰＤＣＰ＃０）が備える。
【００７２】
また、本技術はデュアルコネクティビティという名称で呼ばれるが、端末装置１と接続される基地局装置２の数が２つまでに制限されるわけではなく、端末装置１が３つ以上の基地局装置２と接続することも可能である。
【００７３】
[ユーザ平面プロトコル制御]
図９〜図１１を用いて、端末装置１および基地局装置２のユーザ平面プロトコルの制御方法について説明する。
【００７４】
図９は、従来の端末装置１に対して通知される、個別の無線リソース設定に関する情報要素（ＩＥ：Ｉｎｆｏｒｍａｔｉｏｎ  Ｅｌｅｍｅｎｔ）の構造の一例を示した図である。
【００７５】
基地局装置２は、端末装置１の個別の無線リソース設定に関する情報要素（ＲａｄｉｏＲｅｓｏｕｒｃｅＣｏｎｆｉｇＤｅｄｉｃａｔｅｄ）を生成し、端末装置１に通知する。ＲａｄｉｏＲｅｓｏｕｒｃｅＣｏｎｆｉｇＤｅｄｉｃａｔｅｄは、少なくとも、ＳＲＢ−ＴｏＡｄｄＭｏｄＬｉｓｔ、ＤＲＢ−ＴｏＲｅｌｅａｓｅＬｉｓｔ、ＤＲＢ−ＴｏＡｄｄＭｏｄＬｉｓｔ、そして、ＭＡＣ−ＭａｉｎＣｏｎｆｉｇを示す情報を設定することができる。基地局装置２は、これらの情報の一部を含めないように構成することも可能である。
【００７６】
端末装置１と基地局装置２は、ＱｏＳなどの特性に応じて設定される、無線ベアラ（ＲＢ：Ｒａｄｉｏ  Ｂｅａｒｅｒ）と呼ばれるデータの伝送経路をＲＲＣ層において確立してから送受信を開始する。制御平面に関する無線ベアラはＳＲＢ（Ｓｉｇｎａｌｌｉｎｇ  Ｒａｄｉｏ  Ｂｅａｒｅｒ）と呼ばれる。また、ユーザ平面に関する無線ベアラはＤＲＢ（Ｄａｔａ  Ｒａｄｉｏ  Ｂｅａｒｅｒ）と呼ばれる。
【００７７】
ＳＲＢ−ＴｏＡｄｄＭｏｄＬｉｓｔは、端末装置１に対してＳＲＢの追加（新規設定）または変更を行う場合に指定される。
【００７８】
ＤＲＢ−ＴｏＲｅｌｅａｓｅＬｉｓｔは、端末装置１に対してＤＲＢの削除（リリース）を行う場合に設定される情報である。削除されるＤＲＢは、後述するｄｒｂ−Ｉｄｅｎｔｉｔｙ（ＤＲＢ−Ｉｄ）によって指定される。複数のｄｒｂ−ＩｄｅｎｔｉｔｙをＤＲＢ−ＲｅｌｅａｓｅＬｉｓｔに含めることも可能である。
【００７９】
ＤＲＢ−ＴｏＡｄｄＭｏｄＬｉｓｔは、端末装置１に対してＤＲＢの追加（新規設定）または変更を行う場合に設定される情報である。ＤＲＢ−ＴｏＡｄｄＭｏｄＬｉｓｔは、一つまたは複数のＤＲＢ−ＴｏＡｄｄＭｏｄ（ＤＲＢ−ＴｏＡｄｄＭｏｄ＃ｉ、ｉ＝０，１，・・・，ｎ（ｎは整数））を含めることも可能である。
【００８０】
ＤＲＢ−ＴｏＡｄｄＭｏｄは、端末装置１に対してＤＲＢに関する制御情報（設定（Ｃｏｎｆｉｇｕｒａｔｉｏｎ））を追加（新規設定）または変更する場合に設定され、複数の制御情報（ｅｐｓ−ＢｅａｒｅｒＩｄｅｎｔｉｔｙ、ｄｒｂ−Ｉｄｅｎｔｉｔｙ、ｐｄｃｐ−Ｃｏｎｆｉｇ、ｒｌｃ−Ｃｏｎｆｉｇ、ｌｏｇｉｃａｌＣｈａｎｎｅｌＩｄｅｎｔｉｔｙ、ｌｏｇｉｃａｌＣｈａｎｎｅｌＣｏｎｆｉｇなど）を含めることも可能である。なお、基地局装置２は、これ以外の制御情報をＤＲＢ−ＴｏＡｄｄＭｏｄに含めることも可能である。
【００８１】
ｅｐｓ−ＢｅａｒｅｒＩｄｅｎｔｉｔｙは、ＮＡＳ（Ｎｏｎ  Ａｃｃｅｓｓ  Ｓｔｒａｔｕｍ）レイヤにおけるデータの伝送経路をであるＥＰＳベアラの識別子を示す情報である。ｄｒｂ−Ｉｄｅｎｔｉｔｙは、端末装置１において使用されるＤＲＢを識別するために使用されるＩＤ（識別子）を示す情報である。また、ｄｒｂ−Ｉｄｅｎｔｉｔｙは、端末装置１に設定したＤＲＢに関する制御情報の変更または削除を行う場合に、対象となるＤＲＢを指定する場合の識別番号としても使用される。
【００８２】
ｐｄｃｐ−Ｃｏｎｆｉｇは、端末装置１に設定されるＤＲＢの送受信制御に関するＰＤＣＰ層の設定（Ｃｏｎｆｉｇｕｒａｔｉｏｎ）を示す情報である。ｒｌｃ−Ｃｏｎｆｉｇとは、端末装置１に設定されるＤＲＢの送受信制御に関するＲＬＣ層の設定（Ｃｏｎｆｉｇｕｒａｔｉｏｎ）を示す情報である。
【００８３】
ｌｏｇｉｃａｌＣｈａｎｎｅｌＩｄｅｎｔｉｔｙは、端末装置１に設定されるＤＲＢに対応する論理チャネル（Ｌｏｇｉｃａｌ  Ｃｈａｎｎｅｌ：ＬＣＨ）を識別するために使用されるＩＤを示す情報である。ｌｏｇｉｃａｌＣｈａｎｎｅｌＣｏｎｆｉｇとは、端末装置１に設定されるＤＲＢに対応する論理チャネルに関する設定を示す情報である。
【００８４】
また、ＭＡＣ−ＭａｉｎＣｏｎｆｉｇとは、対応するＳＲＢおよび／またはＤＲＢに関するＭＡＣ層に関する設定を示す情報である。
【００８５】
図１０は、従来の端末装置１に対して通知される、ＭＡＣ層に関する情報要素の構造の一例を示した図である。
【００８６】
基地局装置２は、端末装置１のＭＡＣ層に関する設定を含む情報（ＭＡＣ−ＭａｉｎＣｏｎｆｉｇ）を生成し、端末装置１に通知する。ＭＡＣ−ＭａｉｎＣｏｎｆｉｇは、少なくともＳＴＡＧ−ＴｏＲｅｌｅａｓｅＬｉｓｔとＳＴＡＧ−ＴｏＡｄｄＭｏｄＬｉｓｔを示す情報を設定することができる。基地局装置２は、これらの情報の一部を含めないように構成することも可能である。
【００８７】
ＳＴＡＧ−ＴｏＲｅｌｅａｓｅＬｉｓｔは、端末装置１に設定されるセカンダリ送信タイミンググループ（ｓＴＡＧ）の削除（リリース）を行う場合に設定される情報である。削除されるｓＴＡＧは、後述するｓＴＡＧ−Ｉｄによって指定される。複数のｓＴＡＧ−ＩｄをＳＴＡＧ−ＴｏＲｅｌｅａｓｅＬｉｓｔに含めることも可能である。
【００８８】
ＳＴＡＧ−ＴｏＡｄｄＭｏｄＬｉｓｔは、端末装置１に対してｓＴＡＧの追加（新規設定）または変更を行う場合に設定される情報である。ＳＴＡＧ−ＴｏＡｄｄＭｏｄＬｉｓｔは、一つまたは複数のＳＴＡＧ−ＴｏＡｄｄＭｏｄ（ＳＴＡＧ−ＴｏＡｄｄＭｏｄ＃ｉ、ｉ＝０，１，・・・，ｎ（ｎは整数））を含めることも可能である。
【００８９】
ＳＴＡＧ−ＴｏＡｄｄＭｏｄは、端末装置１に対し、ｓＴＡＧに関する制御情報を追加（新規設定）または変更する場合に設定され、複数の制御情報（ｓＴＡＧ−Ｉｄ、ＴｉｍｅＡｌｉｇｎｍｅｎｔＴｉｍｅｒなど）を含めることも可能である。なお、基地局装置２は、これ以外の制御情報をＳＴＡＧ−ＴｏＡｄｄＭｏｄに含めることも可能である。
【００９０】
ｓＴＡＧ−Ｉｄは、端末装置１に設定されるｓＴＡＧの識別子を示す情報である。また、ｓＴＡＧ−Ｉｄは、ｓＴＡＧに関する制御情報の変更または削除を行う場合に対象となるｓＴＡＧを指定する場合の識別番号としても使用される。ＴｉｍｅＡｌｉｇｎｍｅｎｔＴｉｍｅｒは、ｓＴＡＧ−Ｉｄで示されるｓＴＡＧに適用される（すなわち、ｓＴＡＧに属するセカンダリセルの上りリンクの送信タイミング調整および管理に用いられる）送信タイミングタイマーの設定（パラメータ値）を示す情報である。
【００９１】
図１１は、従来の端末装置１に対して通知される、セカンダリセルの設定に関する情報要素の構造の一例を示した図である。
【００９２】
基地局装置２は、端末装置１のセカンダリセルの設定を含む情報要素（ＳＣｅｌｌＴｏＲｅｌｅａｓｅＬｉｓｔ、ＳＣｅｌｌＴｏＡｄｄＭｏｄ）を生成し、端末装置１に通知する。
【００９３】
ＳＣｅｌｌＴｏＲｅｌｅａｓｅＬｉｓｔは、端末装置１に設定されるセカンダリセルの削除（リリース）を行う場合に設定される情報である。削除されるセカンダリセルは、後述するＳＣｅｌｌＩｎｄｅｘによって指定される。基地局装置２は、複数のＳＣｅｌｌＩｎｄｅｘをＳＣｅｌｌＴｏＲｅｌｅａｓｅＬｉｓｔに含めることも可能である。
【００９４】
ＳＣｅｌｌＴｏＡｄｄＭｏｄＬｉｓｔは、端末装置１に対してセカンダリセルの追加（新規設定）または変更を行う場合に設定される情報である。基地局装置２は、一つまたは複数のＳＣｅｌｌＴｏＡｄｄＭｏｄ（ＳＣｅｌｌＴｏＡｄｄＭｏｄ＃ｉ、ｉ＝０，１，・・・，ｎ（ｎは整数））をＳＣｅｌｌＴｏＡｄｄＭｏｄＬｉｓｔに含めることも可能である。
【００９５】
ＳＣｅｌｌＴｏＡｄｄＭｏｄは、端末装置１に対し、セカンダリセルに関する制御情報（設定）を追加（新規設定）または変更する場合に設定される。基地局装置２は、複数の制御情報（ＳＣｅｌｌＩｎｄｅｘ、ＲａｄｉｏＲｅｓｏｕｒｃｅＣｏｎｆｉｇＤｅｄｉｃａｔｅｄＳＣｅｌｌなど）をＳＣｅｌｌＴｏＡｄｄＭｏｄに含めることも可能である。なお、基地局装置２は、これ以外の制御情報をＳＣｅｌｌＴｏＡｄｄＭｏｄに含めることも可能である。
【００９６】
ＳＣｅｌｌＩｎｄｅｘは、端末装置１に追加されるセカンダリセルを示すインデックス情報である。また、ＳＣｅｌｌＩｎｄｅｘは、セカンダリセルに関する制御情報の変更またはセカンダリセル自体の削除を行う場合に対象となるセカンダリセルを指定する場合の識別番号としても使用される。
【００９７】
ＲａｄｉｏＲｅｓｏｕｒｃｅＣｏｎｆｉｇＤｅｄｉｃａｔｅｄＳＣｅｌｌは、少なくとも、ＰｈｙｓｉｃａｌＣｏｎｆｉｇＤｅｄｉｃａｔｅｄＳＣｅｌｌ、ＭＡＣ−ＭａｉｎＣｏｎｆｉｇＳＣｅｌｌを示す情報を設定することができる。基地局装置２は、これらの情報の一部を含めないように構成することも可能である。
【００９８】
ＰｈｙｓｉｃａｌＣｏｎｆｉｇＤｅｄｉｃａｔｅｄＳＣｅｌｌは、端末装置１に設定されるセカンダリセルの物理層（ＰＨＹ層）に関する設定を示す情報であり、例えば、物理チャネルに関する制御情報が含まれる。
【００９９】
ＭＡＣ−ＭａｉｎＣｏｎｆｉｇＳＣｅｌｌは、セカンダリセルに対応するＭＡＣ層に関する設定を示す情報である。ＭＡＣ−ＭａｉｎＣｏｎｆｉｇＳＣｅｌｌは、少なくともｓＴＡＧ−Ｉｄを含む。
【０１００】
このように構成することによって、基地局装置２は、端末装置１に対して識別子を用いたユーザ平面プロトコルの制御方法を実現することができる。
【０１０１】
例えば、基地局装置２は、識別子としてｄｒｂ−Ｉｄｅｎｔｉｔｙを用いることによって、追加、変更または削除の対象となるＤＲＢと、該ＤＲＢに対応するＰＤＣＰ層、ＲＬＣ層、論理チャネルの設定を通知することが可能となる。
【０１０２】
また、例えば、基地局装置２は、識別子としてＳＣｅｌｌＩｎｄｅｘを用いることによって、追加、変更または削除の対象となるセカンダリセルと、該セカンダリセルに対応する物理層（ＰＨＹ層）の個別無線リソース設定、該セカンダリセルが属するｓＴＡＧの設定を通知することが可能となる。
【０１０３】
また、例えば、基地局装置２は、識別子としてｓＴＡＧ−Ｉｄを用いることによって、追加、変更または削除の対象となるセカンダリ送信タイミンググループと、該セカンダリ送信タイミンググループに対応する送信タイミングタイマーの設定を通知することが可能となる。
【０１０４】
すなわち、基地局装置２は、それぞれのレイヤに関する複数の設定（制御情報）を、識別子に対応（リンク）させ、これらの識別子を用いることによって端末装置１のユーザ平面プロトコルの制御（追加、更新、削除）を行っている。
【０１０５】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【０１０６】
＜第１の実施形態＞
本発明の第１の実施形態について以下に説明する。
【０１０７】
図１は、本発明の第１の実施形態による端末装置１の一例を示すブロック図である。本端末装置１は、受信アンテナ部Ｒ０１、受信部１０１、復調部１０２、復号部１０３、受信データ制御部１０４、物理レイヤ制御部１０５、送信データ制御部１０６、符号部１０７、変調部１０８、送信部１０９、送信アンテナ部Ｔ０１、無線リソース制御部１１０から少なくとも構成される。図中の「部」とは、セクション、回路、構成装置、デバイス、ユニットなど用語によっても表現される、端末装置１の機能および各手順を実現する要素である。
【０１０８】
無線リソース制御部１１０は、端末装置１の状態制御、測定制御及び報告制御、共通制御情報及び個別制御情報の制御、接続制御、移動制御、無線リソース制御などを執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１０９】
また、受信部１０１、復調部１０２、復号部１０３、符号部１０７、変調部１０８、送信部１０９、そして、物理レイヤ制御部１０５は、物理層（ＰＨＹ層）における各機能を実行するブロックである。
【０１１０】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、受信データ制御部１０４、物理レイヤ制御部１０５、送信データ制御部１０６、無線リソース制御部１１０を複数備える構成であってもよい。
【０１１１】
例えば、端末装置１は、受信データ制御部１０４と送信データ制御部１０６を、デュアルコネクティビティによって接続される複数の基地局装置２（セカンダリ基地局装置セルグループ、コネクティビティグループとして分類されていてもよい）にそれぞれ対応するように構成してもよい。すなわち、ＭＡＣ層、ＲＬＣ層、ＰＤＣＰ層のすべて、または一部が接続されるそれぞれの基地局装置２に対して動作（制御）するように構成してもよい。
【０１１２】
少なくとも、ＭＡＣ層における機能（例えば、送信タイミング調整、ランダムアクセス手順、スケジューリングリクエスト、バッファステータス報告、ＤＲＸ、パワーヘッドルーム報告など）は基地局装置毎に設定できることが望ましい（この機能を、Ｍｕｌｔｉｐｌｅ  ＭＡＣ（Ｄｕａｌ  ＭＡＣ）と称する）。同様に、物理レイヤ制御部１０５や無線リソース制御部１１０についても、接続されるそれぞれの基地局装置２に対して動作（制御）するように構成してもよい。
【０１１３】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１１４】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【０１１５】
受信制御情報は、下りリンクスケジューリング情報として、受信周波数帯域の情報、物理チャネルと物理シグナルに関する受信タイミング、多重方法、無線リソース配置情報などの情報が含まれている。また、受信データ制御情報は、セカンダリセル不活性化タイマー情報、ＤＲＸ（Ｄｉｓｃｏｎｔｉｎｕｏｕｓ  Ｒｅｃｅｐｔｉｏｎ）制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【０１１６】
受信信号は、受信アンテナ部Ｒ０１によって受信され、受信部１０１に入力される。受信部１０１は、受信制御情報で指定された周波数と周波数帯域に従って基地局装置２からの信号を受信する。受信部１０１はＲＦ回路を含んでもよい。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ）を受信データ制御部１０４へと入力する。また、各データと共に基地局装置２から送信されたＭＡＣ制御要素も復号部１０３で復号され、受信データ制御部１０４へと入力される。
【０１１７】
受信データ制御部１０４は、受信したＭＡＣ制御要素に基づく物理レイヤ制御部１０５の制御、復号された各データのバッファリング制御、再送されたデータの誤り訂正制御（ＨＡＲＱ）などを行う。受信データ制御部１０４へ入力された各データは、無線リソース制御部１１０へと入力（伝達）される。
【０１１８】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【０１１９】
また、送信データ制御情報は、ＤＴＸ（Ｄｉｓｃｏｎｔｉｎｕｏｕｓ  Ｔｒａｎｓｍｉｓｓｉｏｎ）制御情報、ランダムアクセス設定情報、上りリンク共用チャネル情報、論理チャネルプライオリティ情報、リソース要求設定情報、セルグループ情報、上りリンク再送制御情報などを含む上りリンクの制御情報である。無線リソース制御部１１０は、複数のセルにそれぞれ対応した複数のランダムアクセス設定情報を送信データ制御部１０６に設定してもよい。また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１２０】
なお、複数の上りリンク送信タイミングの状態を管理する必要がある場合（Ｍｕｌｔｉ−ＴＡ）、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１２１】
端末装置１で生起した送信データ（上りリンクデータと上りリンク制御データ）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１２２】
また、送信データ制御部１０６は、送信データ制御部１０６に対して送信データが入力されたときに、送信データ制御部１０６の内部、または外部の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネルＰＵＣＣＨを用いた無線リソース要求（スケジューリングリクエスト（ＳＲ））、または物理ランダムアクセスチャネルを用いた無線リソース要求のいずれか一つを選択し、選択したチャネルを送信するための制御処理を物理レイヤ制御部１０５に対して要求する。
【０１２３】
すなわち、すでに無線リソースが割り当てられており、送信データを物理上りリンク共用チャネルＰＵＳＣＨで送信可能な状態であるとき、符号部１０７は、無線リソース制御部１１０の指示に従って割り当て済みの無線リソースに対応する送信データを上りリンクバッファから取得して符号化し、変調部１０８へと入力する。または、無線リソースが割り当てられていないときで、物理上りリンク制御チャネルによる無線リソース要求が可能であるとき、符号部１０７は、無線リソース制御部１１０の指示に従って物理上りリンク制御チャネルによる無線リソース要求の送信に必要な制御データを符号化し、変調部１０８へと入力する。
【０１２４】
または、無線リソースが割り当てられていないときで、物理上りリンク制御チャネルによる無線リソース要求が不可能であるとき、符号部１０７は、送信データ制御部１０６に対してランダムアクセス手順の開始を指示する。このとき、符号部１０７は、送信データ制御部１０６から入力されるランダムアクセス設定情報に基づき物理ランダムアクセスチャネルで送信されるプリアンブル系列を生成する。また、符号部１０７は、送信制御情報に従って各データを適切に符号化し、変調部１０８へと入力する。
【０１２５】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。送信部１０９はＲＦ回路を含んでもよい。送信部１０９から出力された送信信号は、送信アンテナ部Ｔ０１から送信される。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１２６】
図１において、その他の端末装置１の構成要素や、構成要素間のデータ（制御情報）の伝送経路（伝送路）については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【０１２７】
また、受信アンテナ部Ｒ０１または送信アンテナ部Ｔ０１は、典型的には平面状のマルチバンドアンテナであるが、端末装置１の端末装置能力、形状、目的などに適した任意のアンテナを採用して構成することができる。例えば、複数のアンテナ部で構成されていてもよいし、指向性を有していてもよいし、受信アンテナ部Ｒ０１および送信アンテナ部Ｔ０１が一体となっていてもよい。
【０１２８】
また、上述したように、端末装置１が、受信データ制御部１０４、物理レイヤ制御部１０５、送信データ制御部１０６、無線リソース制御部１１０を複数備える構成である場合、各制御情報、下りリンク制御データ、下りリンクデータ、上りリンク制御データ、および、上りリンクデータは、それぞれのブロックが対応する基地局装置２に関するものである。例えば、基地局装置２−１に対応する受信データ制御部１０４には基地局装置２−１から受信した信号が入力されるが、基地局装置２−２に対応する受信データ制御部１０４には基地局装置２−１から受信した信号は入力されない。
【０１２９】
図２は、本発明の第１の実施形態による基地局装置２の一例を示すブロック図である。本基地局装置は、受信アンテナ部Ｒ０２、受信部２０１、復調部２０２、復号部２０３、受信データ制御部２０４、物理レイヤ制御部２０５、送信データ制御部２０６、符号部２０７、変調部２０８、送信部２０９、送信アンテナ部Ｔ０２、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１３０】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１３１】
また、受信部２０１、復調部２０２、復号部２０３、符号部２０７、変調部２０８、送信部２０９、そして、物理レイヤ制御部２０５は、物理層（ＰＨＹ層）における各機能を実行するブロックである。
【０１３２】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１３３】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１３４】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行う。送信部２０９はＲＦ回路を含んでもよい。送信部２０９から出力された送信信号は、送信アンテナ部Ｔ０２から送信される。下りリンク制御データが配置される物理下りリンク共用チャネルは、典型的にはレイヤ３メッセージ（ＲＲＣメッセージ）を構成する。
【０１３５】
また、受信信号は、受信アンテナ部Ｒ０２によって受信され、受信部２０１に入力される。受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。
【０１３６】
復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、受信データ制御部２０４へと入力される。
【０１３７】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、無線リソース制御部２１０へと入力（伝達）される。
【０１３８】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（Ｓｅｒｖｉｎｇ  Ｇａｔｅｗａｙ：ＳＧＷ）、ＯＡＭなど）やシステムパラメータにより設定され、無線リソース制御部２１０が必要に応じて制御部２０４へ入力する。
【０１３９】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１４０】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１４１】
ネットワーク信号送受信部２１１は、基地局装置２間あるいは上位のネットワーク装置（ＭＭＥ、ＳＧＷ）と基地局装置２との間の制御メッセージ、またはユーザデータの送信（伝達）または受信を行なう。図２において、その他の基地局装置２の構成要素や、構成要素間のデータ（制御情報）の伝送経路（伝送路）については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ：ＲＲＭ）部や、アプリケーションレイヤ部が存在している。
【０１４２】
また、受信アンテナ部Ｒ０２または送信アンテナ部Ｔ０２は、典型的には平面状のマルチバンドアンテナであるが、基地局装置２の送信能力、形状、目的などに適した任意のアンテナを採用して構成することができる。例えば、複数のアンテナ部で構成されていてもよいし、指向性を有していてもよいし、受信アンテナ部Ｒ０２および送信アンテナ部Ｔ０２が一体となっていてもよい。さらに、受信アンテナ部Ｒ０２および送信アンテナ部Ｔ０２（受信部２０１と送信部２０９を含めてもよい）を基地局装置２から独立した一つのユニット（Ｒｅｍｏｔｅ  Ｒａｄｉｏ  Ｈｅａｄ：ＲＲＨ）として構成し、基地局装置２と異なる位置に配置してもよい。
【０１４３】
また、本端末装置１と本基地局装置２が配置される通信システムのネットワーク構成は、図６に示したものと同様のものを適用できる。
【０１４４】
図３を用いて、端末装置１におけるＳＣＧのユーザ平面のプロトコルアーキテクチャーと、ＳＣＧを構成するそれぞれのレイヤ間における無線設定の対応関係の一例を示す。
【０１４５】
図３は、図７に示すユーザ平面のプロトコルアーキテクチャーに対応している。すなわち、端末装置１は、ＰＤＣＰ層として、ＭＣＧに属するセルに対応するデータの処理を行うＰＤＣＰ＃０と、ＳＣＧに属するセルに対応するデータの処理を行うＳＣＧ側のＰＤＣＰ＃１とが設定される。
【０１４６】
また、端末装置１は、ＲＬＣ層として、ＭＣＧに属するセルに対応するデータの処理を行うＲＬＣ＃０と、ＳＣＧに属するセルに対応するデータの処理を行うＳＣＧ側のＲＬＣ＃１とが設定される。また、端末装置１は、ＭＡＣ層として、ＭＣＧに属するセルに対応するデータの処理を行うＭＡＣ＃０と、ＳＣＧに属するセルに対応するデータの処理を行うＳＣＧ側のＭＡＣ＃１とが設定される。また、端末装置１は、ＰＨＹ層として、ＭＣＧに属するセルに対応するデータの処理を行うＰＨＹ＃０と、ＳＣＧに属するセルに対応するデータの処理を行うＳＣＧ側のＰＨＹ＃１とが設定される。ただし、ＭＣＧ側の各レイヤの構成と制御方法は、従来と同じで良いため詳細な説明を省略する。
【０１４７】
図３は、ＳＣＧを構成するセルとして３つのセル（セカンダリセル）が設定される例を示している。ここで、それぞれのセカンダリセルを、セカンダリセル１−１（ＳＣｅｌｌ＃１−１）、セカンダリセル１−２（ＳＣｅｌｌ＃１−２）、セカンダリセル１−３（ＳＣｅｌｌ＃１−３）と称する。
【０１４８】
このとき、各セカンダリセルは、ＭＡＣ＃１に対して各セカンダリセルにおいて受信された下りリンクデータの伝達を行う。また、各セカンダリセルは、上りリンクの無線リソース割り当てに応じてＭＡＣ＃１から上りリンクデータの伝達が行なわれる。また、端末装置１は、ＳＣＧに属するセルに関する制御について、基地局装置２から設定されたＭｕｌｔｉｐｌｅ  ＭＡＣに関する識別子（ｓＭＡＣ−Ｉｄ）を用いて判断する。更に、セカンダリセルが属するＴＡＧが複数ある場合、ＳＣＧに属するセルに関する制御について、基地局装置２から設定されたセカンダリ送信タイミンググループに関する識別子（ｓＴＡＧ−Ｉｄ）を更に用いて判断する。
【０１４９】
すなわち、ｓＭＡＣ−Ｉｄは、マクロセルの基地局装置２−１に対応する第１のＭＡＣ層と、スモールセルの基地局装置２−２に対応する第２のＭＡＣ層とを識別（区別、判断）する、ＭＡＣ層に関する第１の識別子である。また、ｓＴＡＧ−Ｉｄは、マクロセルの基地局装置２−１、またはスモールセルの基地局装置２−２における上りリンクの送信において、複数の上りリンクの送信タイミングが必要である場合に基地局装置２毎に一つまたは複数設定される、セルの上りリンク送信タイミングに応じたグループを示す、ＭＡＣ層に関する第２の識別子である。
【０１５０】
なお、ＳＣＧに属するセルに関する制御とは、例えば、送信タイミング調整、ランダムアクセス手順、スケジューリングリクエスト、バッファステータス報告、ＤＲＸ、パワーヘッドルーム報告などである。
【０１５１】
また、端末装置１は、ユーザデータのＱｏＳなどに応じて設定されるＤＲＢに関し、ＤＲＢに対応する識別子（ｄｒｂ−Ｉｄｅｎｔｉｔｙ（ＤＲＢ−Ｉｄ））と、ＤＲＢに対応する論理チャネルの識別子（ｌｏｇｉｃａｌＣｈａｎｎｅｌＩｄｅｎｔｉｔｙ（ＬＣＨ−Ｉｄ））とが少なくとも基地局装置２から通知される。
【０１５２】
また、基地局装置２は、端末装置１に設定するＤＲＢに対応するＰＤＣＰ層とＲＬＣ層に関する設定をそれぞれ通知することもできる。
【０１５３】
例えば、基地局装置２は、ＳＣＧのセルを経由して提供されるデータサービスを受けるために、端末装置１にＤＲＢ＃１〜＃３を設定するような場合、ＤＲＢ＃１に対応するＰＤＣＰ＃１−１とＲＬＣ＃１−１とＤＲＢ−Ｉｄ＃１とＬＣＨ−Ｉｄ＃１を設定し、ＤＲＢ＃２に対応するＰＤＣＰ＃１−２とＲＬＣ＃１−２とＤＲＢ−Ｉｄ＃２とＬＣＨ−Ｉｄ＃２を設定し、ＤＲＢ＃３に対応するＰＤＣＰ＃１−３とＲＬＣ＃１−３とＤＲＢ−Ｉｄ＃３とＬＣＨ−Ｉｄ＃３を設定することができる。
【０１５４】
このように、ｓＭＡＣ−Ｉｄと、ｓＴＡＧ−Ｉｄ、ＤＲＢ−Ｉｄ、そして、ＬＣＨ−Ｉｄのような複数の識別子を用いることによって、端末装置１と基地局装置２は、デュアルコネクティビティにおけるＳＣＧに対応するＰＤＣＰ層、ＲＬＣ層、ＭＡＣ層、およびＰＨＹ層におけるユーザデータの伝送経路（伝送路）を確立することが可能となる。
【０１５５】
図４を用いて端末装置１におけるユーザデータの伝送経路について説明する。ＤＲＢ＃１（ＤＲＢ−Ｉｄ＃１）に対して、ＰＤＣＰ＃１−１と、ＲＬＣ＃１−１、ＬＣＨ−Ｉｄ＃１が設定されている。また、ＤＲＢ＃２（ＤＲＢ−Ｉｄ＃２）に対し、ＰＤＣＰ＃１−２と、ＲＬＣ＃１−２、ＬＣＨ−Ｉｄ＃２が設定されている。また、ＴＡＧとして、ＳＣｅｌｌ＃１−１が属するＴＡＧ＃１を示すｓＴＡＧ−Ｉｄ＃１と、ＳＣｅｌｌ＃１−２が属するＴＡＧ＃２を示すｓＴＡＧ−Ｉｄ＃２が設定されているとする。
【０１５６】
また、ｓＭＡＣ−Ｉｄ＃１によって、ＰＨＹ＃１（ＳＣｅｌｌ＃１−１とＳＣｅｌｌ＃１−２）に対応するＭＡＣ層がＭＡＣ＃１であることが設定されている。また、ｓＭＡＣ−Ｉｄ＃１によって、ＲＬＣ＃１（ＲＬＣ＃１−１とＲＬＣ＃１−２、またはＬＣＨ−Ｉｄ＃１とＬＣＨ−Ｉｄ＃２）に対応するＭＡＣ層がＭＡＣ＃１であることが設定されている。
【０１５７】
ここで、ＰＤＣＰ＃１−１においてＤＲＢ＃１の上りリンクデータ（ＰＤＣＰ  ＳＤＵ（Ｓｅｒｖｉｃｅ  Ｄａｔａ  Ｕｎｉｔ））が生起した（提供された）場合、ＰＤＣＰ＃１−１は、データに対してＰＤＣＰヘッダーを付加したデータユニット（ＰＤＣＰ  ＰＤＵ（Ｐｒｏｔｏｃｏｌ  Ｄａｔａ  Ｕｎｉｔ））を生成し、対応するＤＲＢ−Ｉｄ（ＤＲＢ−Ｉｄ＃１）で示されるＲＬＣ（ＲＬＣ＃１−１）へとＰＤＣＰ  ＰＤＵを伝達する。
【０１５８】
ＲＬＣ＃１−１は、一つまたは複数のＰＤＣＰ  ＰＤＵを分割・結合してＲＬＣ  ＳＤＵを生成し、対応するＬＣＨ−Ｉｄ（ＬＣＨ−Ｉｄ＃１）を含むＲＬＣヘッダーを付加してＲＬＣのデータユニット（ＲＬＣ  ＰＤＵ）を生成する。また、ＲＬＣ＃１−１は、対応するｓＭＡＣ−Ｉｄ（ｓＭＡＣ−Ｉｄ＃１）で示されるＭＡＣ（ＭＡＣ＃１）へとＲＬＣ  ＰＤＵを伝達する。
【０１５９】
ＭＡＣ＃１は、ＳＣＧにおいて管理するＴＡＧの状態とセルの状態（活性化／不活性化）、ＰＨＹ＃１から通知された上りリンクの無線リソース割り当ての情報などに基づいて、ＭＡＣ  ＰＤＵを送信するセルを判断する。例えば、ＳＣｅｌｌ＃１−１で上りリンクの無線リソース割り当てがなく、一方、ＳＣｅｌｌ＃１−２で上りリンクの無線リソース割り当てがある場合、ＭＡＣ＃１は、ＳＣｅｌｌ＃１−２に対するＭＡＣ  ＰＤＵを生成してＰＨＹ＃１へ伝達する。
【０１６０】
また、例えば、ＴＡＧ＃２の送信タイミングタイマーが停止している場合や、ＳＣｅｌｌ＃１−２が不活性化の状態である場合、ＭＡＣ＃１は、ＳＣｅｌｌ＃１−１の上りリンクの無線リソース割り当てに基づいて、ＳＣｅｌｌ＃１−１に対するＭＡＣ  ＰＤＵを生成してＰＨＹ＃１へ伝達する。ＭＡＣ＃１は、一つまたは複数のＲＬＣ  ＰＤＵから論理チャネルの優先度に基づいてデータを取得し、多重化および集合化（Multiplexing and assembly）を行ってＭＡＣ  ＳＤＵを生成し、ＭＡＣ  ＳＤＵに対してＭＡＣヘッダーと、必要であればＭＡＣ制御要素を付加してＭＡＣ  ＰＤＵを生成する。
【０１６１】
一方、ＰＨＹ＃１（ＳＣｅｌｌ＃１−１、ＳＣｅｌｌ＃１−２）において下りリンクデータの割り当てがあった場合、対応するｓＭＡＣ−Ｉｄ（ｓＭＡＣ−Ｉｄ＃１）で示されるＭＡＣ（ＭＡＣ＃１）において受信処理が行われる。ＭＡＣ＃１は、正しくＭＡＣ  ＰＤＵが組み立てられた場合、非集合化および非多重化（disassemble and demultiplex）を行い、ＭＡＣヘッダーに基づいてＭＡＣ  ＰＤＵから、ＭＡＣ制御要素とＭＡＣ  ＳＤＵ（すなわち、ＲＬＣ  ＰＤＵ）とを一つまたは複数生成（分離）し、ＭＡＣヘッダーに含まれるＬＣＨ−Ｉｄに基づいて、対応するＲＬＣ層へＲＬＣ  ＰＤＵを伝達する。
【０１６２】
例えば、受信した下りリンクデータに含まれるＬＣＨ−ＩｄがＬＣＨ−Ｉｄ＃１であった場合、ＲＬＣ＃１−１へＲＬＣ  ＰＤＵが伝達される。ＲＬＣ＃１−１は、ＬＣＨ−Ｉｄ＃１に関するＲＬＣ  ＰＤＵを分割・結合、データユニットの整列順の変更（reordering）を行い、ＤＲＢ−Ｉｄ＃１によってＲＬＣ＃１−１と対応付けられているＰＤＣＰ＃１−１に対してＰＤＣＰ  ＰＤＵを組み立てて伝達する。
【０１６３】
図５は、従来の端末装置１に対して設定されるＭＡＣ層の設定（図１０）に対して、デュアルコネクティビティにおいて基地局装置２−２のセルに対応する処理を行うＭＡＣ層（以下、セカンダリＭＡＣ（ｓＭＡＣ）と称する）を設定する情報要素の構造の一例を示したものであり、特に、セカンダリＭＡＣを識別する識別子（セカンダリＭＡＣ識別子：ｓＭＡＣ−Ｉｄ）を追加するのに適した構造を示している。
【０１６４】
図５において、ＭＡＣ−ＭａｉｎＣｏｎｆｉｇに対し、ＳＭＡＣ−ＴｏＲｅｌｅａｓｅＬｉｓｔとＳＭＡＣ−ＴｏＡｄｄＭｏｄＬｉｓｔとを少なくとも追加している。ＳＭＡＣ−ＴｏＲｅｌｅａｓｅＬｉｓｔは、端末装置１に設定されるセカンダリＭＡＣの削除（リリース）を行う場合に設定される情報である。削除されるセカンダリＭＡＣは、ｓＭＡＣ−Ｉｄによって指定される。将来的に複数のｓＭＡＣ−ＩｄをＳＭＡＣ−ＴｏＲｅｌｅａｓｅＬｉｓｔに含めることも可能である。
【０１６５】
ＳＭＡＣ−ＴｏＡｄｄＭｏｄＬｉｓｔは、端末装置１に対してセカンダリＭＡＣの追加（新規設定）または変更を行う場合に設定される情報である。ＳＭＡＣ−ＴｏＡｄｄＭｏｄＬｉｓｔは、一つまたは複数のＳＭＡＣ−ＴｏＡｄｄＭｏｄ（ＳＭＡＣ−ＴｏＡｄｄＭｏｄ＃ｉ、ｉ＝０，１，・・・，ｎ（ｎは整数））を含めることも可能である。
【０１６６】
ＳＭＡＣ−ＴｏＡｄｄＭｏｄは、端末装置１に対し、セカンダリＭＡＣに関する制御情報を追加（新規設定）または変更する場合に設定され、複数の制御情報（ｓＭＡＣ−Ｉｄなど）を含めることも可能である。なお、基地局装置２は、これ以外の制御情報をＳＭＡＣ−ＴｏＡｄｄＭｏｄに含めることも可能である。
【０１６７】
ｓＭＡＣ−Ｉｄは、端末装置１に設定されるセカンダリＭＡＣの識別子を示す情報である。また、ｓＭＡＣ−Ｉｄは、セカンダリＭＡＣに関する制御情報の変更または削除を行う場合に対象となるセカンダリＭＡＣを指定する場合の識別番号としても使用される。
【０１６８】
ｓＭＡＣ−Ｉｄは、上りリンクのユーザデータの伝達において、セカンダリＭＡＣに属するｓＴＡＧとの対応関係（リンク）を示すためにも使用される。例えば、基地局装置２は、ＳＣｅｌｌＴｏＡｄｄＭｏｄにおけるＲａｄｉｏＲｅｓｏｕｒｃｅＣｏｎｆｉｇＤｅｄｉｃａｔｅｄＳＣｅｌｌまたはＭＡＣ−ＭａｉｎＣｏｎｆｉｇＳＣｅｌｌにｓＭＡＣ−Ｉｄを追加することによって、セカンダリＭＡＣとセカンダリセルのｓＴＡＧとの対応関係を示すことができる。
【０１６９】
また、ｓＭＡＣ−Ｉｄは、下りリンクのユーザデータの伝達において、セカンダリＭＡＣとＲＬＣ層との対応関係（リンク）を示すためにも使用される。例えば、基地局装置２は、ＤＲＢ−ＴｏＡｄｄＭｏｄ、またはＤＲＢ−ＴｏＡｄｄＭｏｄにおけるｒｌｃ−ＣｏｎｆｉｇにｓＭＡＣ−Ｉｄを追加することによって、セカンダリＭＡＣとＲＬＣ層との対応関係を示すことができる。
【０１７０】
このように、セカンダリＭＡＣを識別する新たな識別子として、セカンダリＭＡＣ識別子をレイヤ間の対応関係を示す情報要素として設定することによって、基地局装置２と端末装置１は、（例えば図４に示した）デュアルコネクティビティにおけるユーザデータの伝送経路を該対応関係に基づいて一意に確立することができる。
【０１７１】
また、端末装置１と基地局装置２は、デュアルコネクティビティにおけるＳＣＧのユーザデータの送受信の処理に関係するＰＤＣＰ層、ＲＬＣ層、ＭＡＣ層、およびＰＨＹ層の各レイヤに対する設定について、ｓＭＡＣ−Ｉｄ、ｓＴＡＧ−Ｉｄ、ＤＲＢ−Ｉｄ、ＳＣｅｌｌＩｎｄｅｘといった識別子を用いた効率的な通信制御を行うことが可能となる。
【０１７２】
例えば、基地局装置２は、ＳＣＧにおけるセカンダリＭＡＣをリリースする場合に、リリース対象となるセカンダリＭＡＣに対応するｓＭＡＣ−Ｉｄを設定したＳＭＡＣ−ＴｏＲｅｌｅａｓｅＬｉｓｔを送信することによって、セカンダリＭＡＣに関する設定を端末装置１からリリースさせることができる。
【０１７３】
また、例えば、基地局装置２は、ＳＣＧにおけるセカンダリＭＡＣをリリースする場合に、該セカンダリＭＡＣと、該セカンダリＭＡＣに属するセカンダリセルのｓＴＡＧと、該ｓＴＡＧに属するセカンダリセルと、にそれぞれ対応するｓＭＡＣ−Ｉｄ、ｓＴＡＧ−Ｉｄ、ＳＣｅｌｌＩｎｄｅｘをリリース対象として設定して送信することによって、関係する設定を端末装置１からリリースさせることができる。
【０１７４】
また、例えば、基地局装置２は、ＳＣＧにおけるセカンダリＭＡＣをリリースする場合に、該セカンダリＭＡＣと、該セカンダリＭＡＣに属するセカンダリセルのｓＴＡＧと、該ｓＴＡＧに属するセカンダリセルと、該セカンダリＭＡＣに対応するＤＲＢに関する設定と、にそれぞれ対応したｓＭＡＣ−Ｉｄ、ｓＴＡＧ−Ｉｄ、ＳＣｅｌｌＩｎｄｅｘ、ＤＲＢ−Ｉｄ（ｄｒｂ−Ｉｄｅｎｔｉｔｙ）をリリース対象として設定して送信することによって、関係する設定を端末装置１からリリースさせることができる。
【０１７５】
なお、ＤＲＢに関する設定とは、ＤＲＢを追加したときに設定された複数の制御情報（ｅｐｓ−ＢｅａｒｅｒＩｄｅｎｔｉｔｙ、ｄｒｂ−Ｉｄｅｎｔｉｔｙ、ｐｄｃｐ−Ｃｏｎｆｉｇ、ｒｌｃ−Ｃｏｎｆｉｇ、ｌｏｇｉｃａｌＣｈａｎｎｅｌＩｄｅｎｔｉｔｙ、ｌｏｇｉｃａｌＣｈａｎｎｅｌＣｏｎｆｉｇなど）を示す。
【０１７６】
また、例えば、基地局装置２は、ＳＣＧにおけるｓＴＡＧをリリースする場合に、リリース対象となるｓＴＡＧに対応するｓＴＡＧ−Ｉｄを設定したＳＴＡＧ−ＴｏＲｅｌｅａｓｅＬｉｓｔを送信することによって、ｓＴＡＧに関する設定を端末装置１からリリースさせることができる。
【０１７７】
また、例えば、基地局装置２は、ＳＣＧにおけるｓＴＡＧをリリースする場合に、リリース対象となるｓＴＡＧに対応するｓＴＡＧ−Ｉｄを設定したＳＴＡＧ−ＴｏＲｅｌｅａｓｅＬｉｓｔを送信することで、ＳＣＧにおける端末装置１のｓＴＡＧが全てリリースされる場合、該セカンダリＭＡＣと、該ｓＴＡＧに属するセカンダリセルと、にそれぞれ対応したｓＭＡＣ−Ｉｄ、ＳＣｅｌｌＩｎｄｅｘをリリース対象として設定して送信することによって、関係する設定を端末装置１からリリースさせることができる。
【０１７８】
また、例えば、基地局装置２は、ＳＣＧにおけるＤＲＢをリリースする場合に、リリース対象となるＤＲＢに対応するＤＲＢ−Ｉｄを設定したＤＲＢ−ＴｏＲｅｌｅａｓｅＬｉｓｔを送信することによって、ＤＲＢに関する設定を端末装置１からリリースさせることができる。
【０１７９】
また、例えば、基地局装置２は、ＳＣＧにおけるＤＲＢをリリースする場合に、リリース対象となるＤＲＢに対応するＤＲＢ−Ｉｄを設定したＤＲＢ−ＴｏＲｅｌｅａｓｅＬｉｓｔを送信することによって、ＳＣＧにおける端末装置１のＤＲＢが全てリリースされる場合、該セカンダリＭＡＣと、該セカンダリＭＡＣに属するセカンダリセルのｓＴＡＧと、該ｓＴＡＧに属するセカンダリセルと、にそれぞれ対応したｓＭＡＣ−Ｉｄ、ｓＴＡＧ−Ｉｄ、ＳＣｅｌｌＩｎｄｅｘをリリース対象として設定して送信することによって、関係する設定を端末装置１からリリースさせることができる。
【０１８０】
また、例えば、基地局装置２は、ＳＣＧにおけるセカンダリセルをリリースする場合に、リリース対象となるセカンダリセルに対応するＳＣｅｌｌＩｎｄｅｘを設定したＳＣｅｌｌＴｏＲｅｌｅａｓｅＬｉｓｔを送信することによって、セカンダリセルに関する設定を端末装置１からリリースさせることができる。
【０１８１】
また、例えば、基地局装置２は、ＳＣＧにおけるセカンダリセルをリリースする場合に、リリース対象となるセカンダリセルに対応するＳＣｅｌｌＩｎｄｅｘを設定したＳＣｅｌｌＴｏＲｅｌｅａｓｅＬｉｓｔを送信することによって、ＳＣＧにおける端末装置１のｓＴＡＧに属するセカンダリセルが全てリリースされる場合に、該セカンダリＭＡＣに属するセカンダリセルのｓＴＡＧと、該ｓＴＡＧに属するセカンダリセルと、にそれぞれ対応したｓＴＡＧ−Ｉｄ、ＳＣｅｌｌＩｎｄｅｘをリリース対象として設定して送信することによって、関係する設定を端末装置１からリリースさせることができる。
【０１８２】
また、例えば、基地局装置２は、ＳＣＧにおけるセカンダリセルをリリースする場合に、リリース対象となるセカンダリセルに対応するＳＣｅｌｌＩｎｄｅｘを設定したＳＣｅｌｌＴｏＲｅｌｅａｓｅＬｉｓｔを送信することによって、ＳＣＧにおける端末装置１のセカンダリＭＡＣに属するセカンダリセルが全てリリースされる場合に、該セカンダリＭＡＣと、該セカンダリＭＡＣに属するセカンダリセルのｓＴＡＧと、該ｓＴＡＧに属するセカンダリセルと、にそれぞれ対応したｓＭＡＣ−Ｉｄ、ｓＴＡＧ−Ｉｄ、ＳＣｅｌｌＩｎｄｅｘをリリース対象として設定して送信することによって、関係する設定を端末装置１からリリースさせることができる。
【０１８３】
また、例えば、基地局装置２は、ＳＣＧにおけるセカンダリセルをリリースする場合に、リリース対象となるセカンダリセルに対応するＳＣｅｌｌＩｎｄｅｘを設定したＳＣｅｌｌＴｏＲｅｌｅａｓｅＬｉｓｔを送信することによって、ＳＣＧにおける端末装置１のセカンダリＭＡＣに属するセカンダリセルが全てリリースされる場合に、該セカンダリＭＡＣと、該セカンダリＭＡＣに属するセカンダリセルのｓＴＡＧと、該ｓＴＡＧに属するセカンダリセルと、該セカンダリＭＡＣに対応するＤＲＢに関する設定と、にそれぞれ対応したｓＭＡＣ−Ｉｄ、ｓＴＡＧ−Ｉｄ、ＳＣｅｌｌＩｎｄｅｘ、ＤＲＢ−Ｉｄ（ｄｒｂ−Ｉｄｅｎｔｉｔｙ）をリリース対象として設定して送信することによって、関係する設定を端末装置１からリリースさせることができる。
【０１８４】
なお、本実施形態では新規の識別子（ｓＭＡＣ−Ｉｄ）を用いてユーザデータの伝送経路を確立する方法を示したが、新規の識別子ではなく既存の識別子を用いることも可能である。例えば、セカンダリＭＡＣの設定に識別子としてＤＲＢ−Ｉｄを含めることによって、ＳＣＧにおけるＲＬＣ層とＭＡＣ層との対応関係を設定してもよい。また、例えば、セカンダリＭＡＣの設定に識別子としてＬＣＨ−Ｉｄを含めることによって、ＳＣＧにおけるＲＬＣ層とＭＡＣ層との対応関係を設定してもよい。
【０１８５】
また、例えば、ＰＤＣＰ層の設定、またはＲＬＣ層の設定に識別子としてｓＴＡＧ−Ｉｄを含めることによって、ＳＣＧにおけるＲＬＣ層とＭＡＣ層との対応関係を設定してもよい。また、例えば、ＰＤＣＰ層の設定、またはＲＬＣ層の設定に新規の識別子（ｓＭＡＣ−Ｉｄ）を識別子として含めることによって、ＳＣＧにおけるＲＬＣ層とＭＡＣ層との対応関係を設定してもよい。
【０１８６】
本実施形態の端末装置１は、基地局装置２からセカンダリセルグループにおけるＭＡＣ層（セカンダリＭＡＣ）に対応する識別子の設定を受信し、識別子を用いたセカンダリＭＡＣの設定を行うことによって、効率的にセカンダリＭＡＣの追加、変更、削除を行うことができる。また、端末装置１は、セカンダリＭＡＣと下位層（ＰＨＹ層）、および、上位層（ＰＤＣＰ層、ＲＬＣ層）との対応付けるために識別子を用いることによって、ユーザデータの伝送経路を確立することができる。
【０１８７】
このように、端末装置１は、デュアルコネクティビティに関する複数の識別子を用いることによって、それぞれのレイヤに対する複数の制御情報の追加、変更、削除を実行することが可能となるため、制御が簡略化され、通信制御を効率的にすることができる。
【０１８８】
また、本実施形態の基地局装置２は、端末装置１に対してセカンダリセルグループにおけるＭＡＣ層（セカンダリＭＡＣ）に対応する識別子を設定して送信し、識別子を用いたセカンダリＭＡＣの設定を行うことによって、効率的にセカンダリＭＡＣの追加、変更、削除を行うことができる。また、基地局装置２は、端末装置１に対してセカンダリＭＡＣと下位層（ＰＨＹ層）、および、上位層（ＰＤＣＰ層、ＲＬＣ層）との対応付けるために識別子を用いることによって、ユーザデータの伝送経路を確立させることができる。
【０１８９】
このように、基地局装置２は、デュアルコネクティビティに関する複数の識別子を用いることによって、それぞれのレイヤに対する複数の制御情報の追加、変更、削除を実行することが可能となるため、制御が簡略化され、通信制御を効率的にすることができる。
【０１９０】
＜第２の実施形態＞
本発明の第２の実施形態について以下に説明する。
【０１９１】
第１の実施形態では、基地局装置２が識別子を用いた各レイヤの制御情報（設定）の制御方法を示し、あるレイヤにおける制御情報のリリースによってユーザデータの伝送経路に影響がある場合、すなわち、伝送経路が確立できない場合、または、伝送経路が一意に決定できない場合、基地局装置２において対応するレイヤの制御情報をリリースする方法について説明した。
【０１９２】
一方、あるレイヤにおける制御情報のリリースによってユーザデータの伝送経路に影響があることが端末装置１で検出（判断）できれば、基地局装置２から送信される制御情報を更に削減することができるため、より効率的な通信制御が可能となる。
【０１９３】
そこで、第２の実施形態では、端末装置２において対応するレイヤの制御情報を判断し、自律的（自動的）にリリースする方法について説明する。第２の実施形態における端末装置１と基地局装置２は、図１と図２にそれぞれ示した構成と同じで良い。
【０１９４】
端末装置１は、基地局装置２からリリース対象となるセカンダリＭＡＣに対応するｓＭＡＣ−Ｉｄを設定したＳＭＡＣ−ＴｏＲｅｌｅａｓｅＬｉｓｔを受信した場合に、セカンダリＭＡＣに属するセカンダリセルのｓＴＡＧの設定と、該ｓＴＡＧに属するセカンダリセルの設定とをそれぞれ自律的にリリースする。
【０１９５】
また、例えば、端末装置１は、基地局装置２からリリース対象となるセカンダリＭＡＣに対応するｓＭＡＣ−Ｉｄを設定したＳＭＡＣ−ＴｏＲｅｌｅａｓｅＬｉｓｔを受信した場合に、セカンダリＭＡＣに属するセカンダリセルのｓＴＡＧの設定と、該ｓＴＡＧに属するセカンダリセルの設定と、セカンダリＭＡＣに対応するＤＲＢに関する設定と、をそれぞれ自律的にリリースする。
【０１９６】
また、例えば、端末装置１は、基地局装置２からリリース対象となるｓＴＡＧに対応するｓＴＡＧ−Ｉｄを設定したＳＴＡＧ−ＴｏＲｅｌｅａｓｅＬｉｓｔを受信した場合に、ｓＴＡＧに関する設定をリリースする。
【０１９７】
また、例えば、端末装置１は、基地局装置２からリリース対象となるｓＴＡＧに対応するｓＴＡＧ−Ｉｄを設定したＳＴＡＧ−ＴｏＲｅｌｅａｓｅＬｉｓｔを受信し、ＳＣＧにおける端末装置１の全てのｓＴＡＧがリリースされる場合、該ｓＴＡＧ−Ｉｄに対応するセカンダリＭＡＣに関する設定と、該ｓＴＡＧに属するセカンダリセルの設定と、該ｓＴＡＧに関する複数の制御情報と、をそれぞれ自律的にリリースする。
【０１９８】
また、例えば、端末装置１は、基地局装置２からリリース対象となるＤＲＢに対応するＤＲＢ−Ｉｄを設定したＤＲＢ−ＴｏＲｅｌｅａｓｅＬｉｓｔを受信した場合、ＤＲＢに関する設定をリリースする。
【０１９９】
また、例えば、端末装置１は、基地局装置２からリリース対象となるＤＲＢに対応するＤＲＢ−Ｉｄを設定したＤＲＢ−ＴｏＲｅｌｅａｓｅＬｉｓｔを受信し、ＳＣＧにおける端末装置１の全てのＤＲＢがリリースされる場合、該ＤＲＢ−Ｉｄに対応するセカンダリＭＡＣに関する設定と、該セカンダリＭＡＣに属するセカンダリセルのｓＴＡＧの設定と、該ｓＴＡＧに属するセカンダリセルの設定と、をそれぞれ自律的にリリースする。
【０２００】
また、例えば、端末装置１は、基地局装置２からリリース対象となるセカンダリセルに対応するＳＣｅｌｌＩｎｄｅｘを設定したＳＣｅｌｌＴｏＲｅｌｅａｓｅＬｉｓｔを受信した場合、該ＳＣｅｌｌＩｎｄｅｘに対応したセカンダリセルに関する設定をリリースする。
【０２０１】
また、端末装置１は、基地局装置２からリリース対象となるセカンダリセルに対応するＳＣｅｌｌＩｎｄｅｘを設定したＳＣｅｌｌＴｏＲｅｌｅａｓｅＬｉｓｔを受信し、ＳＣＧにおける端末装置１のｓＴＡＧに属する全てのセカンダリセルがリリースされる場合に、該セカンダリセルのｓＴＡＧの設定を自律的にリリースする。
【０２０２】
また、端末装置１は、基地局装置２からリリース対象となるリリース対象となるセカンダリセルに対応するＳＣｅｌｌＩｎｄｅｘを設定したＳＣｅｌｌＴｏＲｅｌｅａｓｅＬｉｓｔを受信し、ＳＣＧにおける端末装置１のセカンダリＭＡＣに属するセカンダリセルが全てリリースされる場合に、該セカンダリＭＡＣの設定と、該セカンダリＭＡＣに属するセカンダリセルのｓＴＡＧの設定と、該ｓＴＡＧに属するセカンダリセルの設定と、をそれぞれ自律的にリリースする。
【０２０３】
また、端末装置１は、基地局装置２からリリース対象となるリリース対象となるセカンダリセルに対応するＳＣｅｌｌＩｎｄｅｘを設定したＳＣｅｌｌＴｏＲｅｌｅａｓｅＬｉｓｔを受信し、ＳＣＧにおける端末装置１のセカンダリＭＡＣに属する全てのセカンダリセルがリリースされる場合に、該セカンダリＭＡＣの設定と、該セカンダリＭＡＣに属するセカンダリセルのｓＴＡＧの設定と、該ｓＴＡＧに属するセカンダリセルの設定と、該セカンダリＭＡＣに対応するＤＲＢに関する設定と、をそれぞれ自律的にリリースする。
【０２０４】
本実施形態の端末装置１は、第１の実施形態に加えて、デュアルコネクティビティに関する複数の識別子を用いることによって、それぞれのレイヤにおける複数の制御情報の削除を自律的に実行することが可能となるため、制御が簡略化され、通信制御を更に効率的にすることができる。
【０２０５】
また、本実施形態の基地局装置２は、第１の実施形態に加えて、デュアルコネクティビティに関する複数の識別子を用いることによって、端末装置１に対して、それぞれのレイヤにおける複数の制御情報の削除を実行させることが可能となるため、制御が簡略化され、通信制御を更に効率的にすることができる。
【０２０６】
＜第３の実施形態＞
本発明の第３の実施形態について以下に説明する。
【０２０７】
第１の実施形態と第２の実施形態は、特に図７に示す第１のユーザ平面のプロトコルアーキテクチャーによる通信を想定していたが、一方で、図８に示す第２のユーザ平面のプロトコルアーキテクチャーによる通信もまた想定する必要がある。
【０２０８】
そこで、第３の実施形態では、第２のユーザ平面のプロトコルアーキテクチャーにおける効率的な通信制御の方法について示す。第３の実施形態における端末装置１と基地局装置２は、図１と図２にそれぞれ示した構成と同じで良い。
【０２０９】
図８に示される第２のユーザ平面のプロトコルアーキテクチャーが図７のものと異なる点は、１つのＤＲＢに対して、ＰＤＣＰ層とＲＬＣ層との対応関係がそれぞれのグループ（ＭＣＧ、ＳＣＧ）に対して設定される点である。すなわち、端末装置１と基地局装置２は、デュアルコネクティビティにおけるＳＣＧに対応するＲＬＣ層、ＭＡＣ層、およびＰＨＹ層に対する各設定について、ｓＭＡＣ−Ｉｄ、ｓＴＡＧ−Ｉｄ、ＳＣｅｌｌＩｎｄｅｘを用いた効率的な通信制御を行う一方で、ＰＤＣＰ層に対する設定には影響を与えないようにする必要がある。これらを鑑みて、第１の実施形態と異なる通信制御が必要な部分について以下に説明する。
【０２１０】
例えば、基地局装置２は、ＳＣＧにおけるセカンダリＭＡＣをリリースする場合に、該セカンダリＭＡＣと、該セカンダリＭＡＣに属するセカンダリセルのｓＴＡＧと、該ｓＴＡＧに属するセカンダリセルと、にそれぞれ対応したｓＭＡＣ−Ｉｄ、ｓＴＡＧ−Ｉｄ、ＳＣｅｌｌＩｎｄｅｘをリリース対象としてそれぞれ設定し、また、該セカンダリＭＡＣに対応するＤＲＢに関する設定のうち、該セカンダリＭＡＣに対応するＲＬＣ（以下、セカンダリＲＬＣと称する）に関する設定をリリース対象として設定して送信することによって、関係する設定を端末装置１からリリースさせることができる。
【０２１１】
なお、セカンダリＲＬＣのリリースは、ＲＬＣの変更であってもよい。このとき、ＭＣＧにおける該ＤＲＢに対応するＰＤＣＰとＲＬＣは再確立（Ｒｅ−ｅｓｔａｂｌｉｓｈｍｅｎｔ）されることが望ましい。
【０２１２】
また、例えば、基地局装置２は、ＳＣＧにおけるＤＲＢをリリースする場合に、リリース対象となるＤＲＢに対応するＤＲＢ−Ｉｄを設定したＤＲＢ−ＴｏＲｅｌｅａｓｅＬｉｓｔを送信することによって、ＤＲＢに関する設定のうち、該セカンダリＭＡＣに対応するセカンダリＲＬＣに関する設定をリリース対象として設定して送信することによって、関係する設定を端末装置１からリリースさせることができる。なお、セカンダリＲＬＣのリリースは、ＲＬＣの変更であってもよい。このとき、ＭＣＧにおける該ＤＲＢに対応するＰＤＣＰとＲＬＣは再確立されることが望ましい。
【０２１３】
また、例えば、基地局装置２は、ＳＣＧにおけるセカンダリセルをリリースする場合に、リリース対象となるセカンダリセルに対応するＳＣｅｌｌＩｎｄｅｘを設定したＳＣｅｌｌＴｏＲｅｌｅａｓｅＬｉｓｔを送信することによって、ＳＣＧにおける端末装置１のセカンダリＭＡＣに属するセカンダリセルが全てリリースされる場合に、該セカンダリＭＡＣと、該セカンダリＭＡＣに属するセカンダリセルのｓＴＡＧと、該ｓＴＡＧに属するセカンダリセルと、にそれぞれ対応したｓＭＡＣ−Ｉｄ、ＳＴＡＧ−Ｉｄ、ＳＣｅｌｌＩｎｄｅｘをリリース対象としてそれぞれ設定し、また、該セカンダリＭＡＣに対応するＤＲＢに関する設定のうち、該セカンダリＭＡＣに対応するセカンダリＲＬＣに関する設定をリリース対象として設定して送信することによって、関係する設定を端末装置１からリリースさせることができる。
【０２１４】
なお、セカンダリＲＬＣのリリースは、すでに端末装置１に設定されているＲＬＣ（ｒｌｃ−Ｃｏｎｆｉｇ）の変更であってもよい。このとき、ＭＣＧにおける該ＤＲＢに対応するＰＤＣＰとＲＬＣは再確立（Ｒｅ−ｅｓｔａｂｌｉｓｈｍｅｎｔ）されることが望ましい。
【０２１５】
本実施形態の端末装置１は、第２のユーザ平面のプロトコルアーキテクチャーを用いた場合であっても、デュアルコネクティビティに関する複数の識別子を用いることによって、それぞれのレイヤに対する複数の制御情報の削除を自律的に実行することが可能となるため、制御が簡略化され、通信制御を効率的にすることができる。また、本実施形態の端末装置１は、適用（設定）される第１と第２のユーザ平面のプロトコルアーキテクチャーに基づいて、ユーザデータの伝送経路と通信制御とを適切に切り替えることができる。
【０２１６】
また、本実施形態の基地局装置２は、第２のユーザ平面のプロトコルアーキテクチャーを用いた場合であっても、デュアルコネクティビティに関する複数の識別子を用いることによって、端末装置１に対して、それぞれのレイヤに対する複数の制御情報の削除を実行させることが可能となるため、制御が簡略化され、通信制御を効率的にすることができる。また、本実施形態の基地局装置２は、端末装置１に第１と第２のユーザ平面のプロトコルアーキテクチャーのいずれかを適用（設定）することによって、端末装置１のユーザデータの伝送経路と通信制御とを適切に切り替えさせることができる。
【０２１７】
なお、以上説明した実施形態は単なる例示に過ぎず、様々な変形例、置換例を用いて実現することができる。例えば、使用される送信方式は、ＦＤＤ（周波数分割復信）方式とＴＤＤ（時分割復信）方式、あるいは両方の送信方式を周波数毎に用いるような通信システムに対しても適用可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０２１８】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２１９】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０２２０】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２２１】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０２２２】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０２２３】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０２２４】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２２５】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０２２６】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２２７】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２２８】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２２９】
また、上記プログラムは、前述した機能の一部を実現するためのものであっても良く、さらに、前述した機能をコンピュータシステムに既に記録されているプログラムとの組み合わせで実現できるものであっても良い。
【０２３０】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０２３１】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０２３２】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２３３】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２３４】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２３５】
本発明は、携帯電話、パーソナル・コンピュータ、タブレット型コンピュータなどに適用できる。
【符号の説明】
【０２３６】
１    端末装置
２、２−１、２−２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
２１１    ネットワーク信号送受信部
Ｒ０１、Ｒ０２    受信アンテナ部
Ｔ０１、Ｔ０２    送信アンテナ部
【図１】
2015115268.tif 000003
【図２】
2015115268.tif 000004
【図３】
2015115268.tif 000005
【図４】
2015115268.tif 000006
【図５】
2015115268.tif 000007
【図６】
2015115268.tif 000008
【図７】
2015115268.tif 000009
【図８】
2015115268.tif 000010
【図９】
2015115268.tif 000011
【図１０】
2015115268.tif 000012
【図１１】
2015115268.tif 000013
【国際調査報告】
2015115268.tif 000014
2015115268.tif 000015
2015115268.tif 000016
2015115268.tif 000017